(57)【要約】【課題】患者が濃縮酸素を吸って呼吸しているかどうかを検出することができる酸素濃縮装置を提供する。【解決手段】酸素濃縮装置１０は、生成される濃縮酸素を、カニューラ２２を通じて患者に供給する酸素濃縮装置であり、本体部１１と、この本体部１１において濃縮酸素を送る配管２４Ｒに配置され、患者が濃縮酸素を吸入して呼吸している音を検出するための音検出部としてのマイクロフォン８００を備える。【選択図】図５
2014133052.tif 000002
【特許請求の範囲】
【請求項１】
生成される濃縮酸素を、酸素吸入用具を通じて患者に供給する酸素濃縮装置であって、
本体部と、
前記本体部において前記濃縮酸素を送る配管に配置され、前記患者が前記濃縮酸素を吸入して呼吸している音を検出可能な音検出部を備えることを特徴とする酸素濃縮装置。
【請求項２】
前記音検出部からの音信号を受けて、前記患者が前記濃縮酸素を吸入して呼吸しているかどうかを判別する制御部と、
前記患者が前記濃縮酸素を吸入して呼吸しているにもかかわらず、前記音検出部が前記患者の前記濃縮酸素を吸入して呼吸している音を検出していない時には、前記制御部の指令により警報を発する警報部と、を有することを特徴とする請求項１に記載の酸素濃縮装置。
【請求項３】
前記患者に装着され前記患者の個人情報を有する個人情報認識用発信部と、
前記個人情報認識用発信部から発信される前記患者の個人情報を受ける受信部と、
前記制御部の指示により、前記受信部からの前記患者の個人情報を記憶する記憶部と、を有することを特徴とする請求項２に記載の酸素濃縮装置。
【請求項４】
前記記憶部には、複数人の前記患者の個人情報が記憶されることを特徴とする請求項３に記載の酸素濃縮装置。
【請求項５】
前記音検出部は、マイクロフォンであることを特徴とする請求項１ないし４のいずれかに記載の酸素濃縮装置。
【請求項６】
前記濃縮酸素を加湿する加湿器を有し、前記制御部は、前記患者が前記濃縮酸素を吸入して呼吸していない時には、前記制御部は、前記加湿器が外れた場合に警報を発することを中止することを特徴とする請求項１ないし５のいずれかに記載の酸素濃縮装置。
【発明の詳細な説明】
【技術分野】
【０００１】
本発明は、生成した濃縮酸素を患者に供給するための酸素濃縮装置に関する。
【背景技術】
【０００２】
肺に疾病を抱える患者（患者）が高濃度の酸素を吸引するために使用する酸素濃縮装置は、種々提案されている。大気の一部を用いてコンプレッサにより圧縮空気を作り、この圧縮空気を吸着用の筒体内部に送り込み、該吸着筒体内の吸着剤に窒素を吸着させることにより生成した濃縮酸素を、カニューラを用いて患者に摂取させる比較的コンパクトな酸素濃縮装置は、特許文献１のものが知られている。
【先行技術文献】
【特許文献】
【０００３】
【特許文献１】特開２００８−１３７８５３号公報
【発明の概要】
【発明が解決しようとする課題】
【０００４】
ところで、特許文献１の酸素濃縮装置では、生成した濃縮酸素を大気解放系に向けて放出する機器である。このため、酸素濃縮装置内での配管の閉塞や、濃縮酸素の流量の低下は検出することが可能であるが、酸素濃縮装置では、患者が濃縮酸素を吸入して呼吸しているかどうかは、検出できない。
そこで、本発明は、患者が濃縮酸素を吸入して呼吸しているかどうかを検出することができる酸素濃縮装置を提供することを目的とする。
【課題を解決するための手段】
【０００５】
本発明の酸素濃縮装置は、生成される濃縮酸素を、酸素吸入用具を通じて患者に供給する酸素濃縮装置であって、本体部と、前記本体部において前記濃縮酸素を送る配管に配置され、前記患者が前記濃縮酸素を吸入して呼吸している音を検出可能な音検出部を備えることを特徴とする。
上記構成によれば、音検出部は濃縮酸素を送るための配管に配置されており、音検出部はカニューラ等の酸素吸入用具を介して、患者が濃縮酸素を吸入して呼吸している音を検出できるので、患者が濃縮酸素を吸入して呼吸しているかどうかを本体部内で検出することができる。
【０００６】
好ましくは、前記音検出部からの音信号を受けて、前記患者が前記濃縮酸素を吸入して呼吸しているかどうかを判別する制御部と、前記患者が前記濃縮酸素を吸入して呼吸しているにもかかわらず、前記音検出部が前記患者の前記濃縮酸素を吸入して呼吸している音を検出していない時には、前記制御部の指令により警報を発する警報部と、を有することを特徴とする。
上記構成によれば、患者が前記濃縮酸素を吸入して呼吸しようとしているにもかかわらず、音検出部が前記患者の濃縮酸素を吸入して呼吸している音を検出していない時には、警報部が警報を発する。これにより、医療従事者は、例えばカニューラが外れた等の何らかの問題が発生して、患者に対して濃縮酸素を供給できていないことを確実に認識できる。
【０００７】
好ましくは、前記患者に装着され前記患者の個人情報を有する個人情報認識用発信部と、前記個人情報認識用発信部から発信される前記患者の個人情報を受ける受信部と、前記制御部の指示により、前記受信部からの前記患者の個人情報を記憶する記憶部と、を有することを特徴とする。
上記構成によれば、記憶部は、濃縮酸素を吸入する患者の個人情報を記憶しておくことができるので、医療従事者は、記憶部に記憶されている酸素濃縮装置を使用した患者の管理を行うことができる。
【０００８】
好ましくは、前記記憶部には、複数人の前記患者の個人情報が記憶されることを特徴とする。
上記構成によれば、複数人の患者が酸素濃縮装置を使用した場合であっても、医療従事者は、どの患者が酸素濃縮装置を使用したかが判り、記憶部に記憶されている酸素濃縮装置を使用した各患者の管理を行うことができる。
好ましくは、前記音検出部は、マイクロフォンであることを特徴とする。
上記構成によれば、マイクロフォンを設ける簡単な構成でありながら、音検出部は患者が濃縮酸素を吸入して呼吸している音を検出できるので、患者が濃縮酸素を吸って呼吸しているかどうかを監視することができる。
【０００９】
好ましくは、前記濃縮酸素を加湿する加湿器を有し、前記制御部は、前記患者が前記濃縮酸素を吸入して呼吸していない時には、前記制御部は、前記加湿器が外れた場合に警報を発することを中止することを特徴とする。
上記構成によれば、患者が濃縮酸素を吸入して呼吸していない場合には、加湿器が外れても問題はない。このため、加湿器が外れた場合であっても警報を発することを中止することで、例えば加湿器を交換する時に不要な警報が鳴らないようにすることができる。
【発明の効果】
【００１０】
本発明によれば、患者が濃縮酸素を吸って呼吸しているかどうかを検出することができる酸素濃縮装置を提供することができる。
【図面の簡単な説明】
【００１１】
【図１】本発明の実施形態にかかる酸素濃縮装置の外観斜視図である。
【図２】図１の酸素濃縮装置の操作パネルの概略平面図である。
【図３】図１の酸素濃縮装置の内部構成を示すために背面側から見た立体分解図である。
【図４】図１の酸素濃縮装置の系統図である。
【図５】図４に示すマイクロフォンと受信部と記憶部と制御部と加湿器等を詳しく示を示す図である。
【図６】図５の記憶部に記憶されている複数人の患者の個人情報データ群の例を示す図である。
【発明を実施するための形態】
【００１２】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明の実施形態にかかる酸素濃縮装置の外観斜視図、図２は、図１の酸素濃縮装置の操作パネルの概略平面図である。
図１と図２では、酸素濃縮装置１０は、例えば上端に取手となるハンドル１２を設けた縦長の本体ケース１１（本体部の例）を備えている。本体ケース１１を除く酸素濃縮装置１０の内部構造は、後述する図３に示されている。
【００１３】
図１に示すように、本体ケース１１の上端付近には、操作パネル１３がやや前傾して設けられている。この操作パネル１３には、左から順に、ダイヤル式の電源スイッチ１４と、酸素出口部１５と、酸素流量設定スイッチ１６と、例えば、ＬＥＤ（発光ダイオード）または液晶表示等にて、セグメント数字で表示を行う酸素流量表示部１８が配置されている。
図１では、接続体としてのカプラソケット４００が、酸素出口部１５に形成された出口凹部１５Ｄに対して装着されることで、カプラソケット４００は酸素出口部１５に対して気密状態でしかも着脱自在に接続できる。図１に示すように、カプラソケット４００の先端部４００Ｓは、酸素吸入用具としての、例えばカニューラ２２のチューブ２３の接続端部２３Ｔに対して、着脱自在に接続できる。これにより、酸素出口部１５は、このカプラソケット４００を介して、カニューラ２２の接続端部２３Ｔに着脱自在に接続できる。
【００１４】
図１に示す本体ケース１１の底蓋２６には、４つのゴム足２７が四隅に固定されており、床面上に設置して使用するときに横滑りを防止している。外出時等の移動時に使用するキャリア２５が、２本の固定ネジを穴１０ａにそれぞれ通してねじ込むことで、底蓋２６に対して固定できる。このキャリア２５には、上記の各ゴム足２７を収容できる孔部１０ｂが対応位置に穿設されるとともに、キャリア２５の下面の四隅には、樹脂製の自在キャスタが配置されている。
【００１５】
図２は、図１に示す操作パネル１３を拡大して示している。図２に示す電源スイッチ１４は、図示のオフ位置と約９０度分時計周りに回転したオン位置との間で操作される。この電源スイッチ１４のオン位置に相当する位置には緑と赤に点灯する例えば発光ダイオード等を内蔵した運転状態ランプ１４Ｂが設けられている。また、この運転状態ランプ１４Ｂの上にはバッテリ残量モニタ１４Ｃが設けられている。中央の酸素出口部１５の上には、「点検」の文字またはこれに相当するキャラクター表示等を横に印刷した警報表示部１５Ｂが配置され、この警報表示部１５Ｂの下方には緑と赤と黄色とに点灯する例えば発光ダイオードを内蔵した酸素ランプ１５Ｃが設けられている。
【００１６】
図２に示す酸素流量設定スイッチ１６は、上下矢印を印刷したフラットスイッチ１６ａ，１６ｂを有している。この酸素流量設定スイッチ１６は、９０％程度以上に濃縮された酸素を、最小で毎分当たり０．２５Ｌ(リットル)から最大で５Ｌまでの間、０．２５Ｌ段階または０．０１Ｌ段階で押圧操作する度に酸素流量が設定できる。上方の酸素流量表示部１８がその時の流量設定を表示することにより、酸素生成能力を変えることが可能である。同調ランプ１９は、濃縮酸素を呼吸同調により断続供給状態で運転中であることを、点灯または点滅表示により患者に知らせる。
【００１７】
図３は、酸素濃縮装置１０の内部構成例を示すために背面側から見た立体分解図である。
図３の下方の位置には、上記のゴム足２７を四隅に固定した樹脂製の底蓋２６が、配置され、この底蓋２６は図１では二点鎖線で示している。図３に戻ると、底蓋２６は、樹脂製のベース体４０の底面に対して複数の固定ネジを用いて固定されている。このベース体４０は、四面から下方に向けて連続形成された壁面を一体成形した箱状に成形されており、裏面の壁面上には、各コネクタ１３１、１３０が固定されている。このベース体４０の上には、箱型の二段式防音室３４が配置される。
【００１８】
図３に示すように、ベース体４０には、排気口４０ｃ、４０ｃが、図１のケース本体１１に設けた図示しない裏面カバーの各排気口に対向するとともに内部の電源室に連通するように穿設されており、これらの排気口４０ｃを介して最終的な外部排気が行われる。このベース体４０の上面は、図示のように平らに形成されるとともに、二段式防音室３４の左右面と裏面の三方側から固定ネジで固定するための孔部を穿設した起立部４０ｆを３方から一体成形している。ベース体４０の上面には、上記の電源室に連通した排気用開口部４０ｂをさらに穿設している。
【００１９】
図３に示す二段式防音室３４は、図面の手前側の側方から出し入れ可能な上段部材３６上に２個の送風ファン１０４を固定し、同じく側方から出し入れ可能な下段部材３７上に設けた圧縮空気発生部としてのコンプレッサ１０５を防振状態で配設した密閉箱３５を有している。二段式防音室３４は、軽量金属板から構成されている。
この二段式防音室３４は、図３において手前側に示した防音室蓋３９と、奥側に示した防音室蓋３８を、密閉箱３５に対して複数の固定ネジで固定するようにしている。このように固定ネジを用いて防音室蓋３９と防音室蓋３８を固定するために、二段式防音室３４は、図示のように曲げ加工されるとともにインサートナットを植設した取り付け部が一体的に設けられている。この二段式防音室３４の内部には防音材５１が敷設される。また、二段式防音室３４の外周面には制振部材であって、合成ゴムと特殊樹脂材料を混合した素材をシート状のものが敷設されており、アルミの薄板製である二段式防音室３４自体が共鳴等で振動しないように防止している。
【００２０】
図３に示すように、二段式防音室３４の上段部材３６の上方の左右の側壁面には、第１開口部３５ａが穿設されており、外気を内部に導入するように構成されている。この上段部材３６には、図４で説明する配管２４をラバーブッシュにより固定するための複数の固定孔３６ｈが穿設されており、配管２４を支持するとともに振動防振機能をラバーブッシュと協働して行う。
図３の各送風ファン１０４は、例えばインバータ制御のシロッコファンを用いることができる。各送風ファン１０４は、それぞれの送風口が下方に向くようにしてブラケットを用いて上段部材３６に固定されている。この各送風ファン１０４の間には、図４に示す三方向切換弁１０９ａ，１０９ｂ等が配置されている。図３に示すように、各送風ファン１０４には、ファン回転検出部１２６が設けられている。ファン回転検出部１２６は、例えばインタラプタ型フォトセンサ等の回転検出計等を利用することができる。
【００２１】
図３に示す二段式防音室３４の左側の側壁面には、筒状の吸着筒体１０８ａ、１０８ｂが、吸気用バッファタンク１０１と並べて配置されており、側壁面に固定された固定具４９ｋにバンド４９を通過後にバンド４９を締め上げることで図示のように固定されている。吸着筒体１０８ａ、１０８ｂはベース体４０の上面に載るが、全長の長いバッファタンク１０１の一部は開口部４０ｄ中に挿入されて固定される。
図３に示す製品タンク１１１は、真空成形されるポリエチレン樹脂製であって図示のように長手方向に横たえて上方に配置される。遮蔽板３２も軽量化のために樹脂製であり、図示のようにスピーカ２３と外部コネクタ１３３を設けており、二段式防音室３４の上方の外壁面に対して固定ネジを用いて固定される補強を兼ねた取り付け部を一体成形している。
【００２２】
図３の二段式防音室３４の上方の壁面には、放熱部材５２、５３が固定ネジで固定されるとともに、各制御基板２００Ｃ（図４に示すＣＰＵ２００を含む基板）と、制御基板２０１（図４に示すモータ制御部２０１を含む基板）とその他の要素が、起立状態で固定されている。放熱部材５２，５３は、制御基板２００Ｃ，２０１の放熱効果を高めている。遮蔽板３２は、上記のように一部が外部に出るので黒色顔料を用いて黒色に着色されている。二段式防音室３４の右側の側壁面には、酸素センサ１１４と、比例開度弁１１５と、圧力調整器１１２と、流量センサ１１６と、デマンド弁１１７と、回路基板２０２と、温度センサ１２５が固定されている。
【００２３】
図４は、酸素濃縮装置１０の本体ケース１１内の系統図（配管図）である。
図４に示すように、系統図の各要素は本体ケース１１に配置されている。図４では、二重線は空気、酸素、窒素ガスの流路であり、概ね配管２４ａ〜２４ｇ、２４Ｒで示されている。また、細い実線は電源供給または電気信号の電気配線を示している。
以下の説明では、コンプレッサ１０５として圧縮手段（圧縮空気発生部）と減圧手段（負圧発生部）を一体化して構成したものを用いる場合について述べる。しかしながら、この構成に限定されず、圧縮空気発生部と負圧発生部を個別に構成しても良いことは言うまでもない。しかも、負圧発生部が無くても良い。また、吸気口を介して外気を内部に導入し、排気口を介して外部に排出する表面カバーと裏面カバー（本体ケース１１の一部）は、密閉容器として図４において破線で図示されている。
【００２４】
次に、図４を参照して導入空気の流れに沿って順次述べる。
図４において、空気（外気）が、フィルタ交換用蓋体に内蔵された外気導入用フィルタ２０を通過して、酸素濃縮装置１００の内部に矢印Ｆ方向に導入される。この空気は、一対の送風ファン１０４、１０４による送風により、破線で示す二段式防音室３４内に入る。図３を参照して説明したように、空気が、二段式防音室３４の側面に穿設された開口部３５ａを介して、二段式防音室３４内に入る。二段式防音室３４では、上段部材上に送風ファン１０４、１０４を配設し、下段部材にコンプレッサ１０５を防振状態で配設している。
【００２５】
この空気の一部を、コンプレッサ１０５の圧縮手段１０５ａに対して原料空気として供給するために、配管２４ａの開口部が二段式防音室３４内に開口しており、配管２４ａの途中に二次濾過を行う吸気フィルタ１０１と、大容量の吸気マフラ１０２とが設けられている。このように構成することで、原料空気の吸気音が二段式防音室３４内に留まるようにして吸気音を低減している。
【００２６】
図４に示す二段式防音室３４は、軽量化のために厚さ約０．５ｍｍ〜２．０ｍｍの強化軽合金、アルミ合金、チタン合金板または他の好適な材料から構成される。このように薄板から構成するとネジ孔部の強度が確保されない。そこで、ネジ孔部としてインサートナットを適所に固定している。この二段式防音室３４の内部には、原料空気を圧縮して圧縮空気を発生するコンプレッサ１０５が配置されている。このコンプレッサ１０５は、圧縮手段１０５ａと減圧手段１０５ｂとを好ましくは一体構成したものであり、防振状態で固定されている。このコンプレッサ１０５に近接して、温度的環境がほぼ同一の箇所に温度センサ１２５が配置されている。
【００２７】
濾過された原料空気は、コンプレッサ１０５の圧縮手段１０５ａで加圧されて圧縮空気となるが、この時に圧縮空気は温度上昇した状態で配管２４ｃに送り出されるので、この配管２４ｃを放熱効果に優れた軽量の金属パイプとし、送風ファン１０４からの送風で冷却すると良い。このように圧縮空気を冷却することで、高温では機能低下する吸着剤であるゼオライトが窒素の吸着により酸素を生成するための吸着剤として、十分に酸素を９０％程度以上に濃縮できることとなる。
【００２８】
圧縮空気は、配管２４ｃを介して、吸着部としての第１吸着筒体１０８ａと第２吸着筒体１０８ｂに対して交互に供給される。このため切換弁（三方向切換弁）１０９ａ、１０９ｂが図示のように接続されている。これらの切換弁１０９ａ、１０９ｂと、第１吸着筒体１０８ａと第２吸着筒体１０８ｂの不要ガスを脱離させるため（パージ（浄化）を行うため）に、減圧手段１０５ｂに連通する配管２４ｆには、負圧破壊第１弁１２０と負圧破壊第２弁（圧調整弁）１２１が直列に複数（少なくとも２つ）配置されている。これらの負圧破壊第１弁１２０と負圧破壊第２弁（圧調整弁）１２１を開くことで、配管２４ｆ内の圧力を均圧工程時には大気圧付近まで、所定流量以下では圧力コントロールすることでコンプレッサの振動抑制と低電量化を図っている。
【００２９】
図４に示す第１吸着筒体１０８ａと第２吸着筒体１０８ｂ内に夫々貯蔵されている触媒吸着剤の一例としては、ゼオライトが用いられている。第１吸着筒体１０８ａと第２吸着筒体１０８ｂの上方の出口側には、逆止弁と、絞り弁と、開閉弁とからなる均等圧弁１０７が分岐して接続されている。また、均等圧弁１０７の下流側は合流するように配管２４ｄが成されており、分離生成された９０％程度以上の濃度の酸素を貯蔵するための容器となる製品タンク１１１が配管２４ｄに接続されている。また、各吸着筒体内の圧力を検出する圧力センサ２０８が配管されている。
【００３０】
図４の製品タンク１１１の下流側には、出口側の酸素の圧力を一定に自動調整する圧力調整器１１２が配管されている。この圧力調整器１１２の下流側の配管２４eには、ジルコニア式あるいは超音波式の酸素（濃度）センサ１１４が接続されており、酸素濃度の検出を間欠（１０〜３０分毎）または連続で行うようにしている。
酸素（濃度）センサ１１４の下流側には、酸素流量設定スイッチ１６に連動して開閉する比例開度弁１１５が接続されており、比例開度弁１１５の下流側には酸素流量センサ１１６が接続されている。この酸素流量センサ１１６の下流側の配管２４Ｒには、呼吸同調制御のための負圧回路基板を介してデマンド弁１１７が接続されている。
【００３１】
配管２４Ｒは、滅菌フィルタ１１９と、加湿器１０００を経て、酸素濃縮装置１０の酸素出口部１５に対して接続されている。この加湿器１０００は、乾燥した濃縮酸素を加湿器１０００内の水ＷＴに通して加湿する。これにより、濃縮酸素を水ＷＴに通して加湿して、乾燥による患者の鼻の乾燥や粘膜への刺激を低減させる。
以上の構成により、本体ケース１１内で生成された濃縮酸素は、酸素出口部１５と、カプラソケット４００と、カニューラ２２を経て、最大流量５Ｌ／分で約９０％程度以上に濃縮されしかも加湿器１０００において加湿されるので、患者は加湿された濃縮酸素を吸入可能になっている。
【００３２】
次に、図４に示す電源系統は、ＡＣ（商用交流）電源のコネクタ１３０と、装置本体に内蔵される内蔵バッテリ２２８と、コネクタ１３１を介して着脱自在可能に設けられる外部バッテリ２２７と、電源制御回路２２６から構成されている。コネクタ１３０は、所定直流電圧に整流するスイッチングレギュレータ式のＡＣアダプタ１９に接続される。
内蔵バッテリ２２８および外部バッテリ２２７は繰り返し充電可能な２次電池であり、内蔵バッテリ２２８は電源制御回路２２６からの電力供給を受けて充電される。
【００３３】
図４の外部バッテリ２２７については、コネクタ１３１を介する接続状態において、電源制御回路２２６からの電力供給を受けて充電することもできるが、通常は別途準備されるバッテリチャージャーを用いて繰り返し充電される。または、専用設計されたバッテリチャージャーを一体化した外部バッテリ２２７として準備しても良い。
以上の電源系統の構成において、酸素濃縮装置はＡＣアダプタ１９からの電力供給を受けて作動する第１電力供給状態と、内蔵バッテリ２２８からの電力供給を受けて作動する第２電力供給状態と、外部バッテリ２２７からの電力供給を受けて作動する第３電力供給状態との３系統の電力供給状態の内の一つに自動切換えされて使用される。この電源自動切換えのための優先順位は、上記の第１電力供給状態、第３電力供給状態、第２電力供給状態の順序で自動決定するように中央制御部２００により電源制御回路２２６が制御される。
【００３４】
図４のＡＣアダプタ１９は、周波数の違いの影響および電圧の変動を受けずに所定直流電圧を発生することが可能であり、かつまた小型軽量に構成できるスイッチングレギュレータ式が良いが、通常のトランス式でも良い。また、内蔵バッテリ２２８および外部バッテリ２２７は充電時のメモリ効果が少なく再充電時にも満杯充電できるリチウムイオン、リチウム水素イオン２次電池が良いが、従来からのニッケルカドミウム電池でも良い。さらに、緊急時に備えて、どこでも入手可能な乾電池のボックスとして外部バッテリを構成しても良い。
【００３５】
酸素濃縮装置１００の中央制御部２００は、生成する酸素量に応じた、最適な動作モードに切り替える機能を備えており、自動的にコンプレッサ１０５、送風ファン１０４を、多くの酸素生成をする場合は高速に、少ない酸素生成時において低速に回転駆動する制御を行うことで特に、内蔵バッテリ２２８を温存させるようにしている。この結果、外部バッテリ２２７を充電し忘れた場合であっても、突然の外出時や停電時等の対応が可能になるように配慮されている。
【００３６】
図４の中央制御部２００には、コンプレッサ１０５の回転体である直流モータおよび送風ファン１０４のモータの駆動制御を夫々行うモータ制御部２０１および上記のスピーカ２３Ｓに接続されることで音声内容を発生する音声制御部２０３、酸素流量表示部１８が接続されている。この中央制御部２００には、所定動作プログラムを記憶したＲＯＭ（読み出し専用メモリ）が内蔵されるとともに、記憶装置２１０と不揮発メモリ２０５と一時記憶装置２０６とリアルタイムクロック２０７とがさらに接続されている。中央制御部２００は、外部コネクタ１３３を介して通信回線などと接続することで記憶内容へのアクセスが可能となるように構成されている。
【００３７】
上記の三方向切換弁１０９ａ、１０９ｂと均等圧弁１０７と、第１吸着筒体１０８ａと第２吸着筒体１０８ｂ内の不要ガスを脱離させるための負圧発生部１０５ｂと配管２４ｆ内の圧力を制御するための負圧破壊第１弁１２０と負圧破壊第２弁１２１と酸素濃度センサ１１４と比例開度弁１１５と、流量センサ１１６とデマンド弁１１７を駆動制御する弁及び流量制御部２０２Ａが、中央制御部２００に電気的に接続されている。ただし、図４の図示の簡単化のために、各部への配線の図示は省略している。
ところで、総重量が約１ｋｇのコンプレッサ１０５は、モータ制御部２０１に内蔵される可変速度制御器であって正弦波駆動波形によりモータの駆動制御が行われることで運転音を低くしている。このコンプレッサ１０５は、各速度で運転可能であって、必要な真空（負圧）／正圧の圧力レベルと流量を発生でき、僅かな騒音と振動しか出さず、僅かな熱しか発生せず、小型軽量であって僅かな電力消費で運転できることが好ましい。
【００３８】
図４に示す可変速度制御手段である可変速度制御器をモータ制御部２０１に備えることにより、患者の活動レベル、環境条件に基づいてコンプレッサ１０５の速度を自在に変化させることができる。この結果、患者が座ったり寝たりしている等、患者が安静な状態にあって患者の酸素要求が比較的低いことが、デマンド弁１１７によって呼吸同調により判断されると、コンプレッサ１０５の駆動回転速度を自動的に落とすことができる。また、患者が立ったり、活動的であったり、酸素濃度の低い高地にいるときなど、患者の酸素要求が比較的高く、酸素要求量が高まったと判断されると速度を自動的に高めることができる。このモータ制御によって酸素濃縮装置１０全体の消費電力が低減され、充電式バッテリでの駆動時の寿命を延ばすことが可能になるとともに、充電式バッテリの重量と大きさを軽減し、コンプレッサ１０５の摩耗度を低めて寿命を延ばすことで信頼性を向上できる。
【００３９】
図４に示すこのコンプレッサ１０５は、上記のように圧縮空気発生と負圧発生の両方の機能を備えるものであり、取り出される酸素流量に応じて回転数が自動制御される。具体的には、回転速度が５００ｒｐｍから３０００ｒｐｍの間で制御され、通常の速度である１７００ｒｐｍ程度で回転するときの操作寿命を１５０００時間と長くできるようにしている。また、このコンプレッサ１０５は、空気を１００ｋＰａ、好ましくは７５ｋＰａ程度に圧縮する性能を備えている。また、上記の操作寿命が経過すると音声ガイドにて知らせる機能を備えている。ここで、冷却ファンである送風ファン１０４を駆動するファンモータは、ＤＣブラシレスファンが用いられており、ＰＷＭ制御又は電圧制御により回転数制御を容易に行うことができるようにされている。
【００４０】
図４に示すように、酸素濃縮装置１０は、さらに、音検出部としてのマイクロフォン８００と、受信部９００と、記憶部９５０を有している。
図５は、図４に示すマイクロフォン８００と、受信部９００と、記憶部９５０と、制御部２００と、加湿器１０００等を詳しく示している。
図５に示すように、加湿器１０００は、容器部１００１と、蓋部１００２と、接続管部１００３，１００４を有している。容器部１００１内には、濃縮酸素を加湿するための精製水ＷＴが収容されている。蓋部１００２は、容器部１００１の上部の開口を開閉可能に閉じている。この蓋部１００２の上には、接続管部１００３，１００４が設けられている。また、酸素出口部１５と加湿器１０００の間には、供給流量確認用のセンサ９６２を有している。
図５に示す接続管路１００３は、配管２４Ｒを通じて供給される濃縮酸素を、容器部１００１内に導入するための導入用の管路であり、接続管路１００４は、容器部１００１内の水ＷＴを通って加湿された濃縮酸素を、酸素出口部１５側に排出するための排出用の管路である。
【００４１】
図５の配管２４Ｒの途中には、分岐部２４Ｋが形成されており、この分岐部２４Ｋには、マイクロフォン８００が取り付けられている。このマイクロフォン８００は、例えば好ましくはコンデンサマイクロフォンであるが、これに限らない。
制御部２００には、すでに説明したスピーカ２３Ｓと、ブザー１４が電気的に接続されている。また、制御部２００には、マイクロフォン８００と、加湿器外れセンサ９６０，９６１が電気的に接続されている。このマイクロフォン８００は、音信号ＳＤあるいは音信号ＳＤ１を制御部２００に送る。このマイクロフォン８００は、患者が濃縮酸素を吸入して呼吸動作をしていることを検出している間は、確実に酸素療法を行っていることが判定できるようにするために用いられる。
また、マイクロフォン８００は、図４で説明した酸素濃縮装置１０の発生するコンプレッサ１１０の動作音や冷却ファン１０４、電磁弁１０７，１０９等の機械雑音や、使用環境で発生する様々な生活騒音が混入する場合がある。
そのため、本体の機械雑音や生活騒音を測定するマイクロフォン８０１を設けている。
マイクロフォン８００と８０１の差分をとる装置、あるいはソフトウェアを追加することで、カニューラから伝導する呼吸音のみを弁別することが可能となる。
【００４２】
また、図５に示す加湿器外れセンサ９６０，９６１は、接続管部１００３，１００４にそれぞれ配置されている。加湿器外れセンサ９６０は、接続管部１００３が配管２４Ｒの端部から外れてしまうと、加湿器外れ信号ＳＨ１を制御部２００に送る。また、加湿器外れセンサ９６１は、接続管部１００４が酸素出口１５の端部から外れてしまうと、加湿器外れ信号ＳＨ２を制御部２００に送る。
もし、制御部２００が、加湿器外れ信号ＳＨ１あるいは加湿器外れ信号ＳＨ２、または両方の加湿器外れ信号ＳＨ１、ＳＨ２を受けると、制御部２００は、スピーカ２３Ｓを用いて、「加湿器が外れています」という警報を発するようになっている。また、制御部２００は、ブザー１４を駆動することで、加湿器１０００が外れている場合に、音による警報を発するようになっている。これにより、医療従事者は、加湿器１０００が配管２４Ｒと酸素出口部１５の間で外れていることを、音声と音により認識できる。
また、加湿器外れセンサ９６０，９６１では、容器部１００１と、蓋部１００２の接続不良による酸素の漏れを検出出来ないため、供給流量確認用のセンサ９６２で流量を測定し、制御部で設定流量がきちんと供給されているかを確認している。蓋部１００２が緩いなどの場合、酸素漏れが発生し、供給流量が低下するため、制御部２００は、スピーカ２３Ｓを用いて、「加湿器が正しく取り付けられていません」という警報を発するようになっている。また、制御部２００は、ブザー１４を駆動することで、加湿器１０００の蓋部１００２の接続不良の場合に、音による警報を発するようになっている。これにより、医療従事者は、加湿器１０００の蓋部１００２の接続不良を、音声と音により認識できる。
【００４３】
図５に示すように、制御部２００には、通信用の受信部９００と、記憶部９５０が電気的に接続されている。記憶部９５０は、制御部２００の指令により、後で説明する図６に示す複数人の患者に関する個人情報データ群１１００を記憶するためのメモリである。
図５に示すように、酸素濃縮装置１０を使用する患者は、例えば腕ＡＭにおいて、個人情報認識用発信部９７０を着脱可能に装着している。この個人情報認識用発信部９７０は、例えばＲＦＩＤ（Ｒａｄｉｏ  Ｆｒｅｑｕｅｎｃｙ  Ｉｄｅｎｔｉｆｉｃａｔｉｏｎ）タグである。この個人情報認識用発信部９７０は、微小な無線チップを有しており、例えば数ｃｍ程度の大きさであり、予め患者の個人情報データが記憶されている。
患者が酸素濃縮装置１０に近づくと、酸素濃縮装置１０を使用しようとする患者の個人情報認識用発信部９７０からの無線電波ＷＮは、受信部９００で受信できる。これにより、患者の個人情報認識用発信部９７０は、この患者の個人情報データ群１１００を、受信部９００に送ることができる。制御部２００には、受信部９００から患者の個人情報データ群１１００が送られ、制御部２００は、この患者の個人情報データ群１１００を、記憶部９５０に記憶させるようになっている。
【００４４】
図６は、図５の記憶部９５０に記憶されている複数人の患者の個人情報データ群１１００の具体例である。図６に示す具体例における複数人の患者の個人情報データ群１１００では、例えば３人の患者の例を示している。３人の患者のＩＤが、例えばそれぞれ「ＰＲ００６」、「ＰＲ００９」、「ＰＲ０１２」等となっており、制御部２００は、各患者をＩＤ番号で区別している。
図６に示す患者ＩＤが「ＰＲ００６」の個人情報データ１１０１には、患者ＩＤ「ＰＲ００６」が酸素濃縮装置１０を使用開始する時刻の項目１２０１と、患者ＩＤ「ＰＲ００６」が酸素濃縮装置１０を使用停止する時刻の項目１２０２と、患者の呼吸動作の検出ができない場合に警報が発せられたかどうかの警報の有無等の項目１２０３が、含まれている。
【００４５】
同様にして、患者ＩＤが「ＰＲ００９」の個人情報データ１１０２には、患者ＩＤ「ＰＲ００９」が酸素濃縮装置１０を使用開始する時刻の項目１３０１と、患者ＩＤ「ＰＲ００９」が酸素濃縮装置１０を使用停止する時刻の項目１３０２と、患者の呼吸動作の検出ができない場合に警報が発せられたかどうかの警報の有無等の項目１３０３が、含まれている。
さらに、患者ＩＤ「ＰＲ０１２」の個人情報データ１１０３には、患者ＩＤ「ＰＲ０１２」が酸素濃縮装置１０を使用開始した時刻の項目１４０１と、患者ＩＤ「ＰＲ０１２」が酸素濃縮装置１０を使用停止した時刻の項目１４０２と、患者の呼吸動作の検出ができない場合に警報が発せられたかどうかの警報の有無等の項目１４０３が、含まれている。なお、例えば制御部２００が、患者の呼吸動作の検出を３０秒以上できなかった時には、患者の呼吸の検出ができなかった時刻を、使用停止時刻の項目１２０２，１３０２，１４０２に、使用停止した時刻として記録する。
【００４６】
次に、上述した酸素濃縮装置１０の使用例を説明する。
患者が、図１に示す酸素濃縮装置１０を用いて酸素の吸入を行う場合には、カニューラ２２のチューブ２３の接続端部２３Ｔは、酸素濃縮装置１０の酸素出口部１５に対して、カプラソケット４００を用いて接続する。これにより、濃縮酸素は、図４と図５に示す加湿器１０００内の水ＷＴを通ることで加湿され、加湿された濃縮酸素は、酸素出口部１５からカプラソケット４００とカニューラ２２を通じて、患者に供給することができる。なお、濃縮酸素は、例えば最大流量５Ｌ／分の流量で送ることができ、患者はカニューラ２２を用いて約９０％程度以上に濃縮された酸素の吸入が可能である。
【００４７】
図５に示すように、図４に示す酸素濃縮装置１０を用い濃縮酸素を吸入して呼吸しようとする患者の腕ＡＭには、リング状の取り付け部材９９０を着脱可能に取り付ける。この取り付け部材９９０には、すでに説明した個人情報認識用発信部９７０が設けられている。この取り付け部材９９０を腕ＡＭに取り付けた患者が、酸素濃縮装置１０に近づくと、個人情報認識用発信部９７０からの無線電波ＷＮが、酸素濃縮装置１０の本体ケース１１内の受信部９００で受信できる。このため、図６に示すような、例えば患者の個人情報データ１１０３を、受信部９００に送ることができる。これにより、制御部２００は、患者の個人情報データ１１０１を、記憶部９５０に新規に記憶させるか更新して記憶させる。
図６に示すように、記憶部９５０に順次記憶された複数人の患者の個人情報データ群１１００では、例えば患者ＩＤが、「ＰＲ００６」、「ＰＲ００９」、「ＰＲ０１２」等となって、各患者がＩＤ番号で区別されている。例えば、患者ＩＤが「ＰＲ００６」の個人情報データ１１０１には、患者ＩＤ「ＰＲ００６」が酸素濃縮装置１０を使用開始した時刻の項目１２０１と、患者ＩＤ「ＰＲ００６」が酸素濃縮装置１０を使用停止した時刻の項目１２０２と、呼吸検出でき場合の警報の有無等の項目１２０３が、含まれている。
【００４８】
患者が、濃縮酸素を吸入して呼吸動作をしてはおらず、濃縮酸素を加湿器１０００により加湿した後に、濃縮酸素を、配管２４Ｒを通じて酸素出口部１５側に供給しているだけの時には、例えば図５（Ａ）に示すように、マイクロフォン８００からの音信号ＳＤが制御部２００に供給される。
これに対して、上述したように、患者が、濃縮酸素を加湿器１０００により加湿した後に、濃縮酸素を、配管２４Ｒを通じて酸素出口部１５からカニューラ２２を通じて吸入して呼吸動作をしている場合には、例えば図５（Ｂ）に示すように、マイクロフォン８００からの音信号ＳＤ１が制御部２００に供給される。この場合には、図５に例示するように、患者が濃縮酸素を吸入している各タイミングＰＸでは、通常の濃縮酸素を送っている音の音圧に比べて音圧の幅が大きくなる。これにより、制御部２００は、患者が、濃縮酸素を加湿器１０００により加湿した後に、カニューラ２２を通じて吸入していることを検出することができる。
【００４９】
従来の酸素濃縮装置（酸素濃縮器）は、生成した濃縮酸素を大気解放系に向け放出する機器であるため、酸素濃縮装置内の配管の閉塞や酸素濃縮装置内での濃縮酸素の流量低下は検出することが可能である。しかし、従来の酸素濃縮装置では、患者が濃縮酸素を吸入して呼吸動作をしているかどうかの検出、この装置の外部の流量監視、使用状況監視は、外部にセンサを取り付けない限り不可能である。
これに対して、図５に示す本発明の実施形態の酸素濃縮装置１０では、本体ケース１１の内部において、例えば酸素出口部１５に近い位置の配管２４Ｒの分岐部２４Ｋには、マイクロフォン８００が設けられている。このため、制御部２００は、患者が濃縮酸素を、カニューラ２２を用いて吸入して呼吸動作をしているかどうかを、図５に示すマイクロフォン８００から得られる音信号ＳＤ１から判別することができる。もし、制御部２００が音信号ＳＤ１を得られない場合には、制御部２００は、「患者が濃縮酸素を吸入して呼吸動作をしていることが検出できない」旨を、スピーカ２３Ｓを用いて音声により、しかも追加的にブザー１４を用いて音により警報を出すことができる。従って、医療従事者に対して、音声と音で知らせる。
【００５０】
このように、酸素濃縮装置１０の制御部２００は、マイクロフォン８００を用いて、患者が濃縮酸素を吸入して呼吸動作をしていることを検出している間は、確実に患者が酸素療法を行っている。この患者が酸素療法を行っている時に、医療従事者は、酸素濃縮装置１０の記憶部９５０に記憶されている複数人の患者の個人情報データ群１１００の内の該当する患者の個人情報データ（例えば患者の個人情報データ１１０１）を確認することができる。
この患者の個人情報データの確認は、例えば、図４に示すように、外部監視用のコンピュータ２００１を外部コネクタ１３３に対して、情報ネットワーク２０００を介して接続することで行うことができる。これにより、医療従事者は、この複数人の患者の個人情報データ群１１００の各患者の個人情報データ１１０１，１１０２，１１０３・・・を、例えば図４に示す制御部２００と外部コネクタ１３３を通じて、外部コンピュータ２００１の画面上で、確認することができる。このため、医療従事者に対して、これまでに比べて、より正確なコンプライアンス(患者への処方遵守)情報を提供することができる。
【００５１】
また、図５に示すように、患者の例えば腕ＡＭには、個人情報認識用発信部９７０を有する取り付け部材９９０が装着されているので、酸素濃縮装置１０内の制御部２００は、個人情報認識用発信部９７０から図６に例示するような各患者の個人情報データ１１０１，１１０２，１１０３・・・を読み込んで記憶部９５０に新たに記憶するか、更新して記憶することができる。これにより、例えば医療施設等で使用する酸素濃縮装置１０が複数人の患者に対して濃縮酸素を供給する場合に、どの患者が、どの日時に、どれだけの量の濃縮酸素を吸ったかの記録を残すことができ、正確に処方の遵守情報が提供できる。どれだけの量の濃縮酸素を患者に供給できたかは、使用開始時刻と使用停止時刻の間の時間を見れば、計算をすることができる。
【００５２】
従って、医師は、処方された濃縮酸素が確実に使用されているかを正確に知ることができ、医師は患者の治療の妥当性や処方の妥当性について確認することができる。
これに対して、従来の酸素濃縮装置では、その酸素濃縮装置の動作、例えば濃縮酸素の設定流量や使用上のエラー、酸素濃縮装置の状態などを、イベントとして発生日時と共に記録し、酸素濃縮装置の電源が入っている限り患者が濃縮酸素の供給に使用したと判断することで、コンプライアンス(処方遵守)の状況記録としているだけである。
【００５３】
上述したように、制御部２００は、患者が濃縮酸素を、カニューラ２２を用いて吸入して呼吸動作をしているかどうかを、図５に示すマイクロフォン８００から得られる音信号ＳＤ１から判別することができる。このため、濃縮酸素が実際に患者に対して供給されているはずであるにもかかわらず、制御部２００が、図５に示すマイクロフォン８００からは、音信号ＳＤが得られてしまい、濃縮酸素を吸入して呼吸していることを示す音信号ＳＤ１を検出できない場合には、実際には患者は濃縮酸素を吸入できておらず、呼吸動作を行っていないことになる。この場合には、制御部２００は、図５に示す加湿器１０００が配管２４Ｒと酸素出口部１５の間から外れているか、チューブ２３がカプラソケット４００から外れてカニューラ２２が接続されていない状態を示している。このため、制御部２００が、マイクロフォン８００から得られる音信号ＳＤ、ＳＤ１をチェックすることで、実際には患者は濃縮酸素を吸入して呼吸動作ができていないことを検出（監視）できる。
【００５４】
ところで、図５に示す加湿器１０００の接続管路１００３が、配管２４Ｒから外れるか、あるいは加湿器１０００の接続管路１００４が、酸素出口部１５から外れるか、それとも接続管路１００３，１００４の両方が外れた場合には、制御部２００は、加湿器外れ信号ＳＨ１あるいは加湿器外れ信号ＳＨ２、もしくは両方の加湿器外れ信号ＳＨ１、ＳＨ２を受ける。このため、制御部２００は、スピーカ２３Ｓを駆動することで、スピーカ２３Ｓを用いて、「加湿器が外れています」という警報を発してしまう。また、制御部２００は、ブザー１４を駆動することで、音による警報を発してしまう。
【００５５】
そこで、図５の制御部２００は、マイクロフォン８００から得られるのが音信号ＳＤであり、音信号ＳＤ１ではない場合に、すなわち制御部２００が、患者の濃縮酸素を吸入しておらず呼吸動作をしていないことを検出できた場合には、制御部２００は、加湿器１０００が外れたことを示す警報を止めることができる。つまり、制御部２００は、患者が酸素濃縮装置２００を使用していないときに発生させても意味のないスピーカ２３Ｓによる「加湿器が外れています」という警報と、ブザー１４よる警報を停止させるようになっている。
この加湿器１０００が外れたことを示す警報は、定期的に清掃が必要な加湿器１０００を、酸素濃縮装置１０の電源を入れたままで取り外すことで、頻繁に発生してしまう警報ではある。このように、制御部２００は、患者の呼吸動作を検出していない時には、加湿器１０００の外れを示す警報を出すことを停止しても、濃縮酸素を患者には供給する必要がないため、患者の安全性に問題は無く、むしろ余計な警報が発生することを防げるメリットがある。
【００５６】
患者が濃縮酸素を吸入して呼吸動作をしているはずである時に、図５の制御部２００が、マイクロフォン８００から得られるのが音信号ＳＤであり、音信号ＳＤ１ではなく制御部２００が、実際には患者の呼吸動作を検出していない時には、次のような不都合な現象が発生している。例えば、加湿器１０００が外れているか、図５に示すカニューラ２２のチューブ２３がカプラソケット４００から外れているか、カニューラ２２のチューブ２３をカプラソケット４００に装着することを忘れているか、あるいは、チューブ２３とカプラソケット４００の間にコネクタを挟んで使用する場合にこのコネクタからチューブ２３が外れているか、あるいはコネクタがカプラソケット４００から外れているか、である。本体ケース１１内にマイクロフォン８００を設けることは、このような不都合な現象の確認を行うのに有用である。
【００５７】
本発明の実施形態の酸素濃縮装置１０では、音検出部であるマイクロフォン８００が本体ケース１１の内部の配管２４Ｒの音を検出するので、患者が実際に濃縮酸素を吸入して呼吸したことを、制御部２００が検出できるので、実際の患者の酸素吸入時間が正確に判る。これに対して、従来の酸素濃縮装置では、酸素濃縮装置の動作だけで患者の酸素吸入時間を判定しているだけであったので、患者の実際の呼吸量は不明である。
【００５８】
本発明の実施形態の酸素濃縮装置１０は、生成される濃縮酸素を、カニューラを通じて患者に供給する酸素濃縮装置であって、本体部と、この本体部において濃縮酸素を送る配管に配置され、患者が濃縮酸素を吸入して呼吸している音を検出するための音検出部を備える。このため、音検出部は濃縮酸素を送るための配管に配置されており、音検出部は患者が濃縮酸素を吸入して呼吸している音を検出できるので、患者が濃縮酸素を吸って呼吸しているかどうかを本体部内において検出することができる。
【００５９】
音検出部からの音信号を受けて、患者が濃縮酸素を吸入して呼吸しているかどうかを判別する制御部と、患者が濃縮酸素を吸入して呼吸しているにもかかわらず、音検出部が患者の濃縮酸素を吸入して呼吸している音を検出していない時には、制御部の指令により警報を発する警報部と、を有する。
このため、患者が濃縮酸素を吸入して呼吸しようとしているにもかかわらず、音検出部が患者の濃縮酸素を吸入して呼吸している音を検出していない時には、警報部が警報を発するので、医療従事者は、例えばカニューラが外れた等の何らかの問題が発生して、患者に対して濃縮酸素を供給できていないことを確実に認識できる。
【００６０】
患者に装着され患者の個人情報を有する個人情報認識用発信部と、個人情報認識用発信部から発信される患者の個人情報を受ける受信部と、制御部の指示により、受信部からの患者の個人情報を記憶する記憶部と、を有する。
このため、記憶部は、濃縮酸素を吸入する患者の個人情報を記憶しておくことができるので、医療従事者は、記憶部に記憶されている酸素濃縮装置を使用した患者の管理を行うことができる。
【００６１】
記憶部には、複数人の患者の個人情報が記憶される。このため、複数人の患者が酸素濃縮装置を使用した場合であっても、医療従事者は、どの患者が酸素濃縮装置を使用したかが判り、記憶部に記憶されている酸素濃縮装置を使用した各患者の管理を行うことができる。
音検出部は、マイクロフォンである。このため、マイクロフォンを設ける簡単な構成でありながら、音検出部は患者が濃縮酸素を吸入して呼吸している音を検出できるので、患者が濃縮酸素を吸って呼吸しているかどうかを監視することができる。
【００６２】
濃縮酸素を加湿する加湿器を有し、制御部は、患者が濃縮酸素を吸入して呼吸していない時には、制御部は、加湿器が外れた場合に警報を発することを中止する。このため、患者が濃縮酸素を吸入して呼吸していない場合には、加湿器が外れても問題はないので、加湿器が外れた場合には警報を発することを中止することで、例えば加湿器を交換する時でも不要な警報が鳴らないようにすることができる。
【００６３】
本発明の各実施形態は、任意に組み合わせることができる。
ところで、本発明は上記実施形態に限定されず、種々の変形例を採用することができる。
例えば、図５に示す音検出部としては、コンデンサマイクロフォン等のマイクロフォン８００の他に、音を検出できる圧電マイクロフォン等や、他の種類の音センサも採用しても良い。
また、図５に示す個人情報認識用発信部９７０と受信部９００としては、例えば小型で低消費電力の通信手段であるＢｌｕｅｔｏｏｔｈ４．０（短距離無線通信の規格）（登録商標）やＺｉｇＢｅｅ（家電向けに策定された無線通信規格）、あるいはＮＦＣ通信ユニット（Ｎｅａｒ  Ｆｉｅｌｄ  Ｃｏｍｍｕｎｉｃａｔｉｏｎ、１０数ｃｍの距離で行う小電力無線通信の国際規格）等を採用することができる。
【００６４】
図４と図５では、マイクロフォン８００は、配管２４Ｒの分岐部２４Ｋに設けられているが、この分岐部２４Ｋの位置は、加湿器１０００寄りの位置であっても、他の位置であっても良い。
上述の本発明の実施形態では、酸素濃縮装置の大きさや容量によりコンプレッサの回転数や送風ファンの回転数は適宜定めることができる。上記本発明の実施形態に記載された事項は、その一部を省略してもよいし、上記で説明しない他の構成と組み合わせることによっても本発明の範囲を逸脱するものではない。
【符号の説明】
【００６５】
１０・・・酸素濃縮装置、１１・・・本体ケース（本体部）、１５・・・酸素出口部、２２・・・カニューラ、２３・・・カニューラのチューブ、８００・・・音検出部としてのマイクロフォン、９００・・・受信部、９５０・・・記憶部、９７０・・・個人情報認識用発信部、１０００・・・加湿器
【図１】
2014133052.tif 000003
【図２】
2014133052.tif 000004
【図３】
2014133052.tif 000005
【図４】
2014133052.tif 000006
【図５】
2014133052.tif 000007
【図６】
2014133052.tif 000008